(57)【要約】【課題】本発明は、ハードディスクドライブ固定装置を提供することを目的とする。【解決手段】本発明のハードディスクドライブ固定装置は、第一端には係合スロットが設けられ、第二端には圧迫部が設けられるハウジングと、回転可能であり且つ係合部を有するハンドルを備えるブラケットと、当接部及び前記当接部の一端に形成される当止部を含む弾性部材と、を備えてなり、前記ブラケットが前記ハウジング内に装着されると、前記ハンドルを回動して、前記ハンドルの係合部を前記ハウジングの係合スロットに係合し、前記圧迫部は前記弾性部材の当止部を圧迫して、前記弾性部材の当接部を弾性変形させ、前記弾性部材の当接部は前記ハウジングを圧迫する。【選択図】図５
2012128936.tif 000002
【特許請求の範囲】
【請求項１】
対向する第一側板及び第二側板を備え、前記第一側板の第一端には係合スロットが設けられ、前記第一側板の第二端には圧迫部が設けられるハウジングと、
ハードディスクドライブの両側を固定する第一側壁及び第二側壁と、前記第一側壁と前記第二側壁との間に接続されるベースと、前記ベースに回転可能に枢着されるハンドルと、を備え、前記ハンドルには、前記係合スロットに対応する係合部が設けられるブラケットと、
前記ブラケットの前記第一側壁の外側に固定され、当接部及び前記当接部の一端に形成される当止部を備える弾性部材と、
を備えてなるハードディスクドライブ固定装置であって、
前記ブラケットが前記ハウジング内に装着されると、前記ブラケットの前記第一側壁及び前記第二側壁は、前記ハウジングの前記第一側板及び前記第二側板にそれぞれ対向し、前記ハンドルを回動して前記ベースに係合する際、前記ハンドルの前記係合部は前記ハウジングの前記第一側板の前記係合スロットに係合し、前記弾性部材の前記当止部は前記ハウジングの前記第一側板の前記圧迫部に当止され、前記圧迫部は前記弾性部材の前記当止部を圧迫して、前記弾性部材の前記当接部を弾性変形させ、前記弾性部材の前記当接部は前記第一側壁を圧迫することを特徴とするハードディスクドライブ固定装置。
【請求項２】
前記第一側壁の前記係合スロットに近い一端には、固定孔が設けられ、前記第一側壁の前記圧迫部に近い一端には、貫通孔が設けられ、
前記弾性部材は、前記当接部の他端に形成される固定部をさらに備え、前記当止部は、前記貫通孔を貫通して前記第一側板の内側に突出し、前記固定部は前記固定孔に固定されることを特徴とする請求項１に記載のハードディスクドライブ固定装置。
【請求項３】
前記第一側壁の外側には、前記弾性部材の前記当接部を収容する収容スロットが設けられ、前記固定孔及び前記貫通孔は、全て前記収容スロットに連通することを特徴とする請求項１または２に記載のハードディスクドライブ固定装置。
【請求項４】
前記第一側壁には、耐震パッドが設けられ、前記弾性部材の前記当接部は、前記第一側壁の上の前記耐震パッドを圧迫することを特徴とする請求項１から３のいずれか一項に記載のハードディスクドライブ固定装置。
【請求項５】
前記ハウジングは、前記第一側板と前記第二側板との間に接続される端壁をさらに備え、前記端壁には、第一コネクターが設けられ、
前記ブラケットは、前記ベースに対向して前記第一側壁と前記第二側壁との間に設けられ且つ前記第一コネクターに接続する第二コネクターをさらに備えることを特徴とする請求項１から４のいずれか一項に記載のハードディスクドライブ固定装置。
【請求項６】
前記第一側板には、平行な２つのフランジが設けられ、前記第二側板には、前記第一側板の２つの前記フランジに対応する他の２つのフランジが設けられ、前記第一側壁、前記第二側壁及びこれらのフランジによって、前記ブラケットを収容する収容空間を形成することを特徴とする請求項１から５のいずれか一項に記載のハードディスクドライブ固定装置。
【発明の詳細な説明】
【技術分野】
【０００１】
本発明は、ハードディスクドライブ固定装置に関するものである。
【背景技術】
【０００２】
ハードディスクドライブは、通常ブラケットなどの固定構造体によってコンピューターキャビネットのハウジング内に設置される。
【発明の概要】
【発明が解決しようとする課題】
【０００３】
しかし、ブラケットなどの固定構造体とコンピューターキャビネットのハウジングとの間には隙間が存在するため、ハードディスクドライブを安定して固定することができない問題が存在する。
【０００４】
本発明の目的は、前記課題を解決し、ハードディスクドライブを安定して固定することができるハードディスクドライブ固定装置を提供することである。
【課題を解決するための手段】
【０００５】
本発明に係るハードディスクドライブ固定装置は、対向する第一側板及び第二側板を備え、前記第一側板の第一端には係合スロットが設けられ、前記第一側板の第二端には圧迫部が設けられるハウジングと、ハードディスクドライブの両側を固定する第一側壁及び第二側壁と、前記第一側壁と前記第二側壁との間に接続されるベースと、前記ベースに回転可能に枢着されるハンドルと、を備え、前記ハンドルには、前記係合スロットに対応する係合部が設けられるブラケットと、前記ブラケットの第一側壁の外側に固定され、当接部及び前記当接部の一端に形成される当止部を備える弾性部材と、を備えてなり、前記ブラケットが前記ハウジング内に装着されると、前記ブラケットの第一側壁及び第二側壁は、前記ハウジングの第一側板及び第二側板にそれぞれ対向し、前記ハンドルを回動して前記ベースに係合する際、前記ハンドルの係合部は前記ハウジングの第一側板の係合スロットに係合し、前記弾性部材の当止部は前記ハウジングの第一側板の圧迫部に当止され、前記圧迫部は前記弾性部材の当止部を圧迫して、前記弾性部材の当接部を弾性変形させ、前記弾性部材の当接部は前記第一側壁を圧迫する。
【発明の効果】
【０００６】
従来の技術に比べて、本発明のハードディスクドライブ固定装置において、ブラケットのハンドルを回動してベースに係合する際、前記ハンドルの係合部はハウジングの第一側板の第一端の係合スロットに係合し、且つ前記第一側板の第二端の圧迫部は弾性部材の当止部を圧迫するので、前記弾性部材の当接部を弾性変形させ、従って前記弾性部材の当接部が前記第一側板を圧迫することにより、前記ブラケットと前記ハウジングとの間の隙間を除去して、ハードディスクドライブを装着した前記ブラケットは前記ハウジング内に安定して固定される。
【図面の簡単な説明】
【０００７】
【図１】本発明の実施形態に係るハードディスクドライブ固定装置とハードディスクドライブとの分解図である。
【図２】図１に示すハードディスクドライブ固定装置とハードディスクドライブとの他の視角からの分解図である。
【図３】図１に示すハードディスクドライブ固定装置とハードディスクドライブとの部分組立図である。
【図４】図１に示すハードディスクドライブ固定装置とハードディスクドライブとの組立図である。
【図５】図４に示すハードディスクドライブ固定装置とハードディスクドライブとの組立体のＶ−Ｖ線に沿う断面図である。
【発明を実施するための形態】
【０００８】
図１及び図２を参照すると、本発明の実施形態に係るハードディスクドライブ固定装置は、ハウジング１０と、ハードディスクドライブ１００を固定し且つ前記ハウジング１０内に設置されるブラケット２０と、弾性部材３０と、を備える。
【０００９】
前記ハウジング１０は、対向する第一側板１２及び第二側板１４を備え、前記第一側板１２及び前記第二側板１４の第一端には、挿入口１６が設けられ、前記第一側板１２及び前記第二側板１４の第二端には、前記挿入口１６に対向する端壁１８が前記第一側板１２及び前記第二側板１４に直交するように設けられる。前記第一側板１２の前記第二側板１４に対面する表面には、互いに平行な２つの縦長いフランジ１２２が前記挿入口１６から前記端壁１８への方向に沿って設けられる。前記第一側板１２の前記第二側板１４に対面する表面における２つの前記フランジ１２２の間には、耐震パッド１２４が設けられる。前記第二側板１４の前記第一側板１２に対面する表面には、２つの前記フランジ１２２に対応する２つのフランジ１４２が設けられる。前記第一側板１２、前記第二側板１４及び前記フランジ１２２、１４２によって、前記ブラケット２０を収容する収容空間１９を形成する。前記第一側板１２の前記挿入口１６に近い箇所には、係合スロット１２６が設けられ、前記第一側板１２の前記端壁１８に近い箇所には、圧迫部１２８が設けられる。前記端壁１８には、第一コネクター１８２が設けられる。
【００１０】
前記ブラケット２０は、対向する第一側壁２２及び第二側壁２４と、前記第一側壁２２及び前記第二側壁２４の第一端に設けられるベース２６と、前記ベース２６に回転可能に枢着されるハンドル２８と、前記第一側壁２２及び前記第二側壁２４の第二端に設けられ且つ前記第一コネクター１８２に接続可能な第二コネクター２９と、を備える。前記第一側壁２２の外側には、前記第一側壁２２の長手方向に沿って前記弾性部材３０を収容するために用いられる収容スロット２２２が設けられる。前記第一側壁２２の第一端に近い箇所には、前記収容スロット２２２に連通する固定孔２２４が設けられ、前記第一側壁２２の第二端に近い箇所には、前記収容スロット２２２に連通する貫通孔２２６が設けられる。前記ベース２６には、係合フック２６２が設けられる。前記ハンドル２８の一端には、前記第一側板１２の係合スロット１２６に対応する係合部２８２が設けられ、前記ハンドル２８の他端には、前記ベース２６の係合フック２６２に対応する係合孔２８４が設けられる（図５を参照）。
【００１１】
前記弾性部材３０は、細長い金属線からなり、細長い当接部３２と、前記当接部３２の両端から同じ方向に向かって湾曲してなる当止部３４及び固定部３６と、を備える。
【００１２】
図３を参照すると、前記弾性部材３０を前記ブラケット２０に装着する場合、前記弾性部材３０の当止部３４を前記ブラケット２０の第一側壁２２の貫通孔２２６に貫通させて前記第一側壁２２の内側に突出させ（図５を参照）、前記弾性部材３０の当接部３２を前記ブラケット２０の第一側壁２２の収容スロット２２２に収容し、前記弾性部材３０の固定部３６を前記ブラケット２０の第一側壁２２の固定孔２２４に係合させて、前記弾性部材３０が前記第一側壁２２の長手方向に沿って自由に移動することを防止し、従って前記弾性部材３０を前記ブラケット２０に固定する。前記ハードディスクドライブ１００は、前記ブラケット２０の第一側壁２２と第二側壁２４との間に固定される。
【００１３】
図４及び図５を参照すると、前記ブラケット２０を前記ハウジング１０内に装着する場合、先ず、前記ブラケット２０を前記ハウジング１０の挿入口１６から前記収容空間１９に挿入して、前記ブラケット２０の第一側壁２２及び前記第二側壁２４は、前記ハウジング１０の第一側板１２及び第二側板１４にそれぞれ対向し、自然状態を保持する前記弾性部材３０は、前記第一側板１２を圧迫せず、前記ブラケット２０は、前記収容空間１９内で自由にスライドすることができる。次に、前記ブラケット２０を推進すると、前記ブラケット２０の第二コネクター２９は前記端壁１８の第一コネクター１８２に接続し、前記ハンドル２８の係合部２８２は、ちょうど前記第一側板１２の係合スロット１２６に対応し、前記第一側板１２の圧迫部１２８は前記弾性部材３０の当止部３４を圧迫するので、前記弾性部材の当接部３２を弾性変形させて、前記弾性部材の当接部３２は前記第一側板１２及び前記耐震パッド１２４に当接する。最後に、前記ベース２６に向かって前記ハンドル２８を回動させると、前記ハンドル２８の係合部２８２は、前記第一側板１２の係合スロット１２６に係合し、前記ベース２６の係合フック２６２は、前記ハンドル２８の係合孔２８４に係合する。このように前記ブラケット２０と前記ハウジング１０との間に隙間を有することなく、前記ブラケット２０は前記ハウジング１０内に安定して固定され、且つ前記弾性部材３０の当接部３２と前記耐震パッド１２４との弾性緩衝作用により、震動による前記第一コネクター１８２と前記第二コネクター２９との接続の緩みを防止する。
【００１４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１５】
１０  ハウジング
１２  第一側板
１４  第二側板
１６  挿入口
１８  端壁
１９  収容空間
２０  ブラケット
２２  第一側壁
２４  第二側壁
２６  ベース
２８  ハンドル
２９  第二コネクター
３０  弾性部材
３２  当接部
３４  当止部
３６  固定部
１００  ハードディスクドライブ
１２２，１４２  フランジ
１２４  耐震パッド
１２６  係合スロット
１２８  圧迫部
１８２  第一コネクター
２２２  収容スロット
２２４  固定孔
２２６  貫通孔
２６２  係合フック
２８２  係合部
２８４  係合孔
【図１】
2012128936.tif 000003
【図２】
2012128936.tif 000004
【図３】
2012128936.tif 000005
【図４】
2012128936.tif 000006
【図５】
2012128936.tif 000007